(57)【要約】【課題】手間をかけずに、重ね合わされた複数枚のＲＦ−ＩＤメディアを１枚ずつにして検査を行い、その後、複数枚のＲＦ−ＩＤメディアを重ね合わされた状態とする。【解決手段】前後に重ね合わされた複数枚のＩＣカード２が収納されたストッカー２０をＩＣカード２の重ね合わせ方向に引き出すと、ＩＣカード２が１枚ずつストッカー３０に落下し、その際に、検査用ＲＷ４０によってＩＣカード２に対して検査を行い、その後、検査が行われたＩＣカード２をストッカー３０に重ね合わされた状態で収納する。【選択図】図４
2011128961.tif 000002
【特許請求の範囲】
【請求項１】
重ね合わされた複数枚のＲＦ−ＩＤメディアを１枚ずつにして検査を行い、その後、複数枚のＲＦ−ＩＤメディアを重ね合わされた状態とするＲＦ−ＩＤメディア検査装置であって、
複数枚のＲＦ−ＩＤメディアを前後に重ね合わせた状態で収納する第１の収納部材と、
上面が開口し、前記第１の収納部材に収納された複数枚のＲＦ−ＩＤメディアのうち、検査が行われたＲＦ−ＩＤメディアを前後に重ね合わせた状態で収納する第２の収納部材と、
前記第２の収納部材を支持するとともに、前記第１の収納部材を、前記第２の収納部材上に重ね合わされた第１の位置から前記複数のＲＦ−ＩＤメディアの重ね合わせ方向に引き出し可能に支持するフレーム部材と、
前記第１の収納部材の前記引き出し方向先端側端部に収納され、前記第１の収納部材が前記第１の位置に支持されると前記フレーム部材に固定され、その後、前記第１の収納部材が引き出された場合に前記フレーム部材に固定された状態を維持する押し出し板と、
前記第１の収納部材の前記引き出し方向後端側端部に配置され、前記第１の収納部材が前記第１の位置に支持されると前記第２の収納部材側に落下した状態で支持される奥板と、
前記フレーム部材のうち、前記第１の収納部材が前記第１の位置に支持された場合に前記第１の収納部材の前記引き出し方向後端側において前記第１の収納部材と前記第２の収納部材との少なくとも一部に対向する領域に設けられ、前記ＲＦ−ＩＤメディアに対して検査を行う検査手段とを有し、
前記奥板は、前記第１の収納部材の前記引き出し方向後端側の面が、上端から所定の高さまで当該奥板の厚さが厚くなっていく傾斜を有し、
前記第１の収納部材は、前記奥板が前記第２の収納部材側に落下した状態において、前記奥板の上端に対して前記引き出し方向後端側に、当該第１の収納部材に収納されたＲＦ−ＩＤメディアが前記第２の収納部材に落下するための開口部を有するＲＦ−ＩＤメディア検査装置。
【発明の詳細な説明】
【技術分野】
【０００１】
本発明は、非接触状態にて情報の書き込みや読み出しが可能なＲＦ−ＩＤメディアの検査を行うＲＦ−ＩＤメディア検査装置に関する。
【背景技術】
【０００２】
近年、情報化社会の進展に伴って、情報をカードに記録し、このカードを用いた情報管理や決済等が行われている。また、商品等に添付されるタグに情報を記録し、このタグを用いての商品等の管理も行われている。このようなカードやタグを用いた情報管理においては、カードやタグに対して非接触状態にて情報の書き込みや読み出しを行うことが可能なＩＣチップが搭載された非接触型ＩＣカードや非接触型ＩＣタグがその優れた利便性から急速な普及が進みつつある。
【０００３】
上述したような非接触型ＩＣカードや非接触型ＩＣタグといったＲＦ−ＩＤメディアにおいては、製品として出荷される前に検査手段となるリーダ／ライタによって、ＲＦ−ＩＤメディアに書き込まれたＩＤ等の情報を読み出すこと等により、良品／不良品の検査が行われている。ＲＦ−ＩＤメディアは、製造過程においては一般的に複数枚が重ね合わされた状態でストックされているため、このような検査を行う場合においても、複数枚のＲＦ−ＩＤメディアが重ね合わされた状態で検査を行う装置が考えられている（例えば、特許文献１参照。）。
【先行技術文献】
【特許文献】
【０００４】
【特許文献１】特開平１０−３４０３２５号公報
【発明の概要】
【発明が解決しようとする課題】
【０００５】
しかしながら、上述したように複数枚のＲＦ−ＩＤメディアが重ね合わされた状態で検査を行う装置においては、重ね合わされた他のＲＦ−ＩＤメディアとの間における干渉によって、重ね合わされた複数枚のＲＦ−ＩＤメディアそれぞれに対して、ＲＦ−ＩＤメディアに書き込まれたＩＤ等の情報の読み出しを正しく行うことができなくなってしまう虞れがある。
【０００６】
そのため、重ね合わされた複数枚のＲＦ−ＩＤメディアそれぞれに対して１枚ずつ検査を行うことが好ましいが、重ね合わされた複数枚のＲＦ−ＩＤメディアを１枚ずつにして検査を行い、その後、複数枚のＲＦ−ＩＤメディアを重ね合わされた状態とするには、手間がかかってしまうという問題点がある。
【０００７】
本発明は、上述したような従来の技術が有する問題点に鑑みてなされたものであって、手間をかけずに、重ね合わされた複数枚のＲＦ−ＩＤメディアを１枚ずつにして検査を行い、その後、複数枚のＲＦ−ＩＤメディアを重ね合わされた状態とすることができるＲＦ−ＩＤメディア検査装置を提供することを目的とする。
【課題を解決するための手段】
【０００８】
上記目的を達成するために本発明は、
重ね合わされた複数枚のＲＦ−ＩＤメディアを１枚ずつにして検査を行い、その後、複数枚のＲＦ−ＩＤメディアを重ね合わされた状態とするＲＦ−ＩＤメディア検査装置であって、
複数枚のＲＦ−ＩＤメディアを前後に重ね合わせた状態で収納する第１の収納部材と、
上面が開口し、前記第１の収納部材に収納された複数枚のＲＦ−ＩＤメディアのうち、検査が行われたＲＦ−ＩＤメディアを前後に重ね合わせた状態で収納する第２の収納部材と、
前記第２の収納部材を支持するとともに、前記第１の収納部材を、前記第２の収納部材上に重ね合わされた第１の位置から前記複数のＲＦ−ＩＤメディアの重ね合わせ方向に引き出し可能に支持するフレーム部材と、
前記第１の収納部材の前記引き出し方向先端側端部に収納され、前記第１の収納部材が前記第１の位置に支持されると前記フレーム部材に固定され、その後、前記第１の収納部材が引き出された場合に前記フレーム部材に固定された状態を維持する押し出し板と、
前記第１の収納部材の前記引き出し方向後端側端部に配置され、前記第１の収納部材が前記第１の位置に支持されると前記第２の収納部材側に落下した状態で支持される奥板と、
前記フレーム部材のうち、前記第１の収納部材が前記第１の位置に支持された場合に前記第１の収納部材の前記引き出し方向後端側において前記第１の収納部材と前記第２の収納部材との少なくとも一部に対向する領域に設けられ、前記ＲＦ−ＩＤメディアに対して検査を行う検査手段とを有し、
前記奥板は、前記第１の収納部材の前記引き出し方向後端側の面が、上端から所定の高さまで当該奥板の厚さが厚くなっていく傾斜を有し、
前記第１の収納部材は、前記奥板が前記第２の収納部材側に落下した状態において、前記奥板の上端に対して前記引き出し方向後端側に、当該第１の収納部材に収納されたＲＦ−ＩＤメディアが前記第２の収納部材に落下するための開口部を有する。
【０００９】
上記のように構成された本発明においては、複数枚のＲＦ−ＩＤメディアを前後に重ね合わせた状態で第１の収納部材に収納し、この第１の収納部材と上面が開口した第２の収納部材とを、第１の収納部材が第２の収納部材上に重ね合わされるようにフレーム部材にて支持する。この際、第１の収納部材は、第１の位置から複数枚のＲＦ−ＩＤメディアの重ね合わせ方向に引き出し可能にフレーム部材に支持される。すると、第１の収納部材の引き出し方向先端側端部に収納された押し出し板がフレーム部材に固定されるとともに、第１の収納部材の引き出し方向後端側端部に配置された奥板が第２の収納部材側に落下した状態で支持される。その後、第１の収納部材を引き出すと、複数枚のＲＦ−ＩＤメディアが収納された第１の収納部材がフレーム部材から引き出されるものの押し出し板がフレーム部材に固定された状態が維持されるので、第１の収納部材に収納された複数枚のＲＦ−ＩＤメディアが第１の収納部材の引き出し方向後端側に押されることになる。第１の収納部材の引き出し方向後端側には奥板が配置されているものの、この奥板は第２の収納部材側に落下した状態で支持されており、また、奥板が第２の収納部材側に落下した状態において、奥板の上端に対して引き出し方向後端側に、第１の収納部材に収納されたＲＦ−ＩＤメディアが第２の収納部材に落下するための開口部が設けられているので、第１の収納部材に収納された複数枚のＲＦ−ＩＤメディアのうち、第１の収納部材の引き出し方向後端側のＲＦ−ＩＤメディアから１枚ずつ、上面が開口した第２の収納部材に落下していくことになる。このように、前後に重ね合わされた状態で第１の収納部材に収納された複数枚のＲＦ−ＩＤメディアが第２の収納部材に落下していく際に１枚ずつとなるため、その際、フレーム部材のうち、第１の収納部材が第１の位置に支持された場合に第１の収納部材の引き出し方向後端側において第１の収納部材と第２の収納部材との少なくとも一部に対向する領域に設けられた検査手段において、ＲＦ−ＩＤメディアに対する検査が行われる。また、奥板は、第１の収納部材の引き出し方向後端側の面が、上端から所定の高さまでその厚さが厚くなっていく傾斜を有するものであるため、第１の収納部材の引き出し方向後端側のＲＦ−ＩＤメディアは、この傾斜面を滑っていくようにして第２の収納部材に落下していく。そして、この傾斜は、奥板の上端から所定の高さまでとなっているので、第２の収納部材に落下したＲＦ−ＩＤメディアは、その高さよりも低い部分に当接することによって略垂直に支持されて重ね合わされていく。
【００１０】
このように、前後に重ね合わされた複数枚のＲＦ−ＩＤメディアが収納された第１の収納部材を複数枚のＲＦ−ＩＤメディアの重ね合わせ方向に引き出すだけで、ＲＦ−ＩＤメディアが１枚ずつ検査され、第２の収納部材に重ね合わされた状態で収納されることとなる。
【発明の効果】
【００１１】
以上説明したように本発明においては、前後に重ね合わされた複数枚のＲＦ−ＩＤメディアが収納された第１の収納部材を複数枚のＲＦ−ＩＤメディアの重ね合わせ方向に引き出すと、第１の収納部材に重ね合わされた状態で収納された複数枚のＲＦ−ＩＤメディアが１枚ずつ第２の収納部材に落下し、その際に、ＲＦ−ＩＤメディアに対して検査を行い、その後、検査が行われたＲＦ−ＩＤメディアが第２の収納部材に重ね合わされた状態で収納される構成としたため、手間をかけずに、重ね合わされた複数枚のＲＦ−ＩＤメディアを１枚ずつにして検査を行い、その後、複数枚のＲＦ−ＩＤメディアを重ね合わされた状態とすることができる。
【図面の簡単な説明】
【００１２】
【図１】本発明のＲＦ−ＩＤメディア検査装置の実施の一形態を示す外観斜視図であり、（ａ）は全体の外観斜視図、（ｂ）は（ａ）に示した上段のストッカーの外観斜視図、（ｃ）は（ａ）に示した下段のストッカーの外観斜視図である。
【図２】図１に示したフレーム部材の詳細な構成を示す図であり、（ａ）は正面から見た図、（ｂ）は側面方向からの断面図である。
【図３】図１に示した上段のストッカーの詳細な構成を示す図であり、（ａ）は押し出し板をストッカーの内部側から見た図、（ｂ）は押し出し板の側面図、（ｃ）はストッカーの引き出し方向後端側の一部を上から見た図、（ｄ）は奥板が取り付けられた状態でストッカーの引き出し方向後端側から見た図、（ｅ）は奥板の側面図である。
【図４】図１〜図３に示したＲＦ−ＩＤメディア検査装置１におけるＩＣカードの検査方法を説明するための図である。
【図５】図１〜図３に示したＲＦ−ＩＤメディア検査装置において上段のストッカーに設けられた奥板が下段のストッカー側に落下する動作を説明するための図であり、（ａ）は奥板支持具が突起に当接する状態をストッカーの上面から見た図、（ｂ）は奥板が下段のストッカー側に落下した状態をＩＣカードの重ね合わせ方向から見た図、（ｃ）は奥板が下段のストッカー側に落下した状態をストッカーの側方から見た図である。
【図６】図１〜図３に示したＲＦ−ＩＤメディア検査装置において上段のストッカーに収納された複数枚のＩＣカードが下段のストッカーに落下していく際の動作を説明するための図である。
【発明を実施するための形態】
【００１３】
以下に、本発明の実施の形態について図面を参照して説明する。
【００１４】
図１は、本発明のＲＦ−ＩＤメディア検査装置の実施の一形態を示す外観斜視図であり、（ａ）は全体の外観斜視図、（ｂ）は（ａ）に示した上段のストッカー２０の外観斜視図、（ｃ）は（ａ）に示した下段のストッカー３０の外観斜視図である。
【００１５】
本形態は図１に示すように、第１の収納部材であるストッカー２０と、第２の収納部材であるストッカー３０とが、金属からなる箱型のフレーム部材１０に引き出しのように上段及び下段に分けて収容されることによって支持されて構成されている。
【００１６】
フレーム部材１０の上段に収容されるストッカー２０は、上面が全面開口するとともに、後述するように底面の一部及び奥側の側面が開口した箱型形状であって、その両側面に溝２２が形成されている。また、ストッカー２０の引き出し方向先端側端部には押し出し板２１が収納され、ストッカー２０の引き出し方向後端側端部には奥板２３が配置されている。また、ストッカー２０の引き出し方向後端側の底部には、奥板２３を支持する奥板支持具２４がストッカー２０の側板に回転可能に取り付けられており、この奥板支持具２４によって奥板２３が落下可能に支持されている。また、押し出し板２１は、その高さがストッカー２０の高さよりも高いことによりストッカー２０からはみ出す領域を有し、そのため、ストッカー２０がフレーム部材１０に収容された場合にその領域がフレーム部材１０の前面に当接する。
【００１７】
フレーム部材１０の下段に収容されるストッカー３０は、上面が全面開口した箱型形状であって、その両側面に溝３１が形成されている。また、その高さが、収納されるＩＣカードの高さと同等のものとなっている。
【００１８】
フレーム部材１０には、１つの面に、ストッカー２０，３０を収容するための開口部が設けられているとともに、ストッカー２０がフレーム部材１０に収容されていく際に奥板支持具２４が挿入されていく支持具挿入溝１１が設けられている。
【００１９】
図２は、図１に示したフレーム部材１０の詳細な構成を示す図であり、（ａ）は正面から見た図、（ｂ）は側面方向からの断面図である。
【００２０】
図１に示したフレーム部材１０は図２に示すように、内側面には、その両側に、ストッカー２０が収容されていく際にストッカー２０の溝２２と係合することによってストッカー２０を引き出し可能に支持する係合レール１２と、ストッカー３０が収容されていく際にストッカー３０の溝３１と係合することによってストッカー３０を引き出し可能に支持する係合レール１３と、ストッカー２０が収容されていく際にストッカー２０の奥板支持具２４が挿入されていく支持具挿入溝１１とが設けられており、支持具挿入溝１１の奥側端部には、突起１４が設けられている。また、奥側の内側面には、ストッカー２０に収納されたＲＦ−ＩＤメディアとなるＩＣカードに書き込まれたＩＤを非接触状態にて読み出すことによって検査を行う検査手段となる検査用ＲＷ４０が取り付けられている。この検査用ＲＷ４０は、ストッカー２０，３０がフレーム部材１０に収容された場合に、ストッカー２０，３０の一部に対向するように取り付けられている。また、内側面の天井部には、ストッカー３０に収納されたＩＣカードの枚数を計数するための員数計数用カメラ５０が取り付けられている。
【００２１】
図３は、図１に示したストッカー２０の詳細な構成を示す図であり、（ａ）は押し出し板２１をストッカー２０の内部側から見た図、（ｂ）は押し出し板２１の側面図、（ｃ）はストッカー２０の引き出し方向後端側の一部を上から見た図、（ｄ）は奥板２３が取り付けられた状態でストッカー２０の引き出し方向後端側から見た図、（ｅ）は奥板２３の側面図である。
【００２２】
押し出し板２１は、上述したようにストッカー２０の引き出し方向先端側端部に収納されており、図３（ａ）に示すように、ストッカー２０からはみ出した領域のうちストッカー２０の内部側の面に磁石２５が取り付けられている。また、図３（ｂ）に示すように、押し出し板２１は、ストッカー２０の引き出し方向後端側の面が、上端からその厚さが厚くなっていく傾斜を有している。
【００２３】
また、図３（ｃ）に示すように、ストッカー２０の引き出し方向後端側端部には、側板２７に取り付けられた軸２４ａによって、側板２７の下面に奥板支持具２４が回転可能に取り付けられており、側板２７の奥板支持具２４が取り付けられた領域のうちストッカー２０の内部側の面には、奥板２３が係合する溝２９が設けられている。また、ストッカー２０の底板２６は、溝２９が設けられた領域からストッカー２０の引き出し方向後端側には設けられておらず、それにより、ストッカー２０は、その底部の形状が、溝２９が設けられた領域からストッカー２０の引き出し方向後端側が開口した形状となっており、この開口した部分が、ストッカー２０に収納されたＩＣカードがストッカー３０に落下するための開口部となる。また、ストッカー２０の引き出し方向後端側端部には、ストッカー２０に収納されたＩＣカードをストッカー２０の引き出し方向後端側に倒れないように支えるためのカード支えバー２８が取り外し可能に設けられている。
【００２４】
このように構成されたストッカー２０に奥板２３が取り付けられる。奥板２３は、非金属かつ非磁性体からなり、図３（ｄ）に示すように、ストッカー２０の側板２７に設けられた溝２９にその側部が係合するようにストッカー２０の上面側から差し込まれ、その底部が奥板支持具２４に当接することによって落下しないように支持される。奥板２３は、その上端部に他の領域よりも幅方向に突出した突出部２３ａを有しているとともに、図３（ｅ）に示すように、ストッカー２０の引き出し方向後端側の面が、上端から高さｈ1までその厚さが厚くなっていく傾斜を有している。
【００２５】
以下に、上記のように構成されたＲＦ−ＩＤメディア検査装置１におけるＩＣカードの検査方法について説明する。
【００２６】
図４は、図１〜図３に示したＲＦ−ＩＤメディア検査装置１におけるＩＣカードの検査方法を説明するための図である。
【００２７】
図１〜図３に示したＲＦ−ＩＤメディア検査装置１においてＩＣカードの検査を行う場合は、まず、ストッカー３０の溝３１にフレーム部材１０の係合レール１３を係合させながら、図４（ａ）に示すようにフレーム部材１０にストッカー３０を収容する。
【００２８】
また、ＲＦ−ＩＤメディアとなる複数枚のＩＣカード２を前後に重ね合わせた状態でストッカー２０に収納し、ストッカー２０の溝２２にフレーム部材１０の係合レール１２を係合させながら、図４（ｂ）に示すようにフレーム部材１０にストッカー２０を収容する。この際、ストッカー２０に設けられた奥板支持具２４は、ストッカー２０の幅方向に突出した状態となっているが、フレーム部材１０の支持具挿入溝１１に挿入されていくことによってストッカー２０の幅方向に突出した状態となったままストッカー２０がフレーム部材１０に収容されていく。これにより、ストッカー２０，３０は、ストッカー２０がストッカー３０上に重ね合わされた状態となってフレーム部材１０に支持される。ここで、ストッカー２０がフレーム部材１０に完全に収容された状態におけるストッカー２０の位置を第１の位置とする。すなわち、ストッカー２０は、ストッカー２０の溝２２とフレーム部材１０の係合レール１２とが係合することによって、第１の位置から、ＩＣカード２の重ね合わせ方向に引き出し可能に支持されていることになる。
【００２９】
ストッカー２０がフレーム部材１０に完全に収容されて第１の位置に支持されると、上述したように押し出し板２１のうちストッカー２０からはみ出す領域がフレーム部材１０の前面に当接し、フレーム部材１０が金属からなるものであるため、押し出し板２１のストッカー２０からはみ出した領域に取り付けられた磁石２５によって、押し出し板２１がフレーム部材１０の前面に固定される。
【００３０】
また、ストッカー２０がフレーム部材１０に完全に収容されて第１の位置に支持されると、図４（ｃ）に示すようにストッカー２０に設けられた奥板２３がストッカー３０側に落下する。
【００３１】
図５は、図１〜図３に示したＲＦ−ＩＤメディア検査装置１においてストッカー２０に設けられた奥板２３がストッカー３０側に落下する動作を説明するための図であり、（ａ）は奥板支持具２４が突起１４に当接する状態をストッカー２０の上面から見た図、（ｂ）は奥板２４がストッカー３０側に落下した状態をＩＣカード２の重ね合わせ方向から見た図、（ｃ）は奥板２４がストッカー３０側に落下した状態をストッカー２０の側方から見た図である。
【００３２】
ストッカー２０の溝２２にフレーム部材１０の係合レール１２を係合させながらフレーム部材１０にストッカー２０を収容していくと、図５（ａ）に示すように、フレーム部材１０に設けられた突起１４が奥板支持具２４に当接し、それにより、奥板支持具２４が、側板２７に取り付けられた軸２４ａを中心に回転する。
【００３３】
すると、図５（ｂ）に示すように、奥板２３の下面が奥板支持具２４によって支持されなくなり、奥板２３が側板２７の溝２９に沿ってストッカー３０側に落下する。２つの側板２７にそれぞれ取り付けられた奥板支持具２４は、突起１４に当接することによって回転した状態における互いの間隔が、奥板２３の突出部２３ａを除いた幅と同等となっているため、ストッカー３０側に落下した奥板２３は、突出部２３ａが奥板支持部２４に引っかかった状態で支持される。この際、突出部２３ａとなる領域の高さｈ2が、ストッカー３０の底板２６の厚さよりも低いため、図５（ｃ）に示すように、ストッカー３０側に落下した状態で支持される奥板２３は、その上端部がストッカー３０の底板２６の表面から突出することはない。
【００３４】
その後、エアーシリンダー（不図示）等によってストッカー２０をフレーム部材１０から引き出すと、ストッカー２０自体はフレーム部材１０から引き出されるものの、ストッカー２０に収納された押し出し板２１は、磁石２５によってフレーム部材１０の前面に固定されているため、フレーム部材１０に固定された状態が維持される。そのため、この押し出し部材２１によって、ストッカー２０に収納された複数枚のＩＣカード２がストッカー２０の引き出し方向後端側に押されることになる。
【００３５】
そして、上述したようにストッカー２０の引き出し方向後端側に配置された奥板２３がストッカー３０側に落下した状態で支持されており、また、ストッカー２０の底部の形状が、奥板２３が係合している溝２９が設けられた領域からストッカー２０の引き出し方向後端側が開口しているため、図４（ｄ）に示すように、ストッカー２０に収納された複数枚のＩＣカード２のうち、ストッカー２０の引き出し方向後端側のＩＣカード２から１枚ずつストッカー３０に落下していくことになる。
【００３６】
図６は、図１〜図３に示したＲＦ−ＩＤメディア検査装置１においてストッカー２０に収納された複数枚のＩＣカード２がストッカー３０に落下していく際の動作を説明するための図である。
【００３７】
上述したように、ストッカー２０に収納された複数枚のＩＣカード２は、押し出し板２１によってストッカー２０の引き出し方向後端側に押されるが、ストッカー２０の引き出し方向後端側端部においては、奥板２３がストッカー３０側に落下した状態で支持されており、この奥板２３が、ストッカー２０の引き出し方向後端側の面が、上端から高さｈ1までその厚さが厚くなっていく傾斜を有しているものであるため、ストッカー２０の引き出し方向後端側に押されたＩＣカード２は、図６（ａ）に示すように、この傾斜面を滑っていくようにしてストッカー３０に落下していく。この際、上述したように、押し出し板２１が、ストッカー２０の引き出し方向後端側の面が、上端からその厚さが厚くなっていく傾斜を有しているものであるため、ストッカー２０の引き出し方向後端側のＩＣカード２が、その上端側がストッカー２０の引き出し方向後端側に倒れてカード支えバー２８に当接し、下端がストッカー２０の底板に当接したままストッカー２０から落下しない状態となってしまうことを回避することができる。
【００３８】
ストッカー２０に複数枚重ね合わされた状態で収納されたＩＣカード２は、ストッカー２０からストッカー３０に落下する際に１枚ずつに分離する。そして、フレーム部材１０の奥側の内側面においては、ストッカー２０，３０の一部に対向するように検査用ＲＷ４０が取り付けられているため、この検査用ＲＷ４０によって、１枚ずつに分離したＩＣカード２に対して、ＩＣカード２に書き込まれたＩＤが非接触状態にて読み出されて検査が行われることになる。なおこの際、ＩＣカード２は、奥板２３の傾斜面を滑り落ちながら検査用ＲＷ４０によって検査が行われることになるが、奥板２３が、非金属かつ非磁性体からなるものであるため、奥板２３によって検査が妨げられてしまうことがない。また、検査用ＲＷ４０においては、上述したようにＩＣカード２が奥板２３の傾斜面を滑っていくようにしてストッカー３０に落下する際にそのＩＣカード２に対する検査を行うため、ストッカー２０の引き出しに伴って、検査用ＲＷ４０と検査対象となるＩＣカード２との距離が長くなっていく。そのため、検査用ＲＷ４０の出力を、ストッカー２０の引き出しに伴って強くしていくことが考えられる。
【００３９】
奥板２３の傾斜面を滑り落ちたＩＣカード２は、ストッカー３０の底部に当接するが、奥板２３の傾斜が、奥板２３の上端から高さｈ1までとなっているので、ストッカー３０の底部に当接したＩＣカード２は、図６（ｂ）に示すように、奥板２３の高さｈ1よりも低い部分に当接することによって略垂直に支持されて重ね合わされていく。
【００４０】
このようにして、ストッカー２０をフレーム部材１０から引き出していくことにより、ストッカー２０に収納された複数枚のＩＣカード２が１枚ずつ奥板２３の傾斜面を滑り落ち、その際に検査用ＲＷ４０によって検査が行われ、図４（ｅ）に示すように、ストッカー３０に落下してストッカー３０にて前後に重ね合わされた状態で収納されていく。
【００４１】
ストッカー２０に収納された複数枚のＩＣカード２が全てストッカー３０に収納された後、ストッカー２０をフレーム部材１０から取り外し、フレーム部材１０の内側面の天井部に取り付けられた員数係数用カメラ５０によって、ストッカー３０に収納されたＩＣカード２が撮影され、ＩＣカード２の枚数が計数される。
【００４２】
その後、図４（ｆ）に示すように、ＩＣカード２が収納されたストッカー３０をフレーム部材１０から引き出す。
【００４３】
このように、本形態においては、前後に重ね合わされた複数枚のＩＣカード２が収納されたストッカー２０を複数枚のＩＣカード２の重ね合わせ方向に引き出すだけで、ＩＣカード２が１枚ずつストッカー３０に落下し、その際に、ＩＣカード２が１枚ずつ検査され、その後、検査が行われたＩＣカード２がストッカー３０に重ね合わされた状態で収納されるため、手間をかけずに、重ね合わされた複数枚のＩＣカード２を１枚ずつにして検査を行い、その後、複数枚のＩＣカード２を重ね合わされた状態とすることができる。
【００４４】
なお、本形態においては、ストッカー２０の引き出し方向後端側端部には、ストッカー２０に収納されたＩＣカード２をストッカー２０の引き出し方向後端側に倒れないように支えるためのカード支えバー２８が取り外し可能に設けられているが、カード支えバー２８を用いずに、ストッカー２０自体を上面及び底部の一部が開口した箱状としてもよい。ただし、本形態にようにカード支えバー２８を用いた場合、ＩＣカード２をストッカー２０の上面側から収納するのではなく、カード支えバー２８をストッカー２０から取り外して引き出し方向後端側からも収納することができる。
【００４５】
また、本形態においては、押し出し板２１に磁石２５を取り付けることによって押し出し板２１をフレーム部材１０に固定しているが、押し出し板２１をフレーム部材１０に固定する手段としてはこれに限らず、フレーム部材１０に押し出し板２１を固定するための爪部を設ける等、適宜設定可能である。また、フレーム部材１０を金属からなるものを例に挙げて説明したが、フレーム部材１０は、樹脂製や木製のもの等、非金属製のものであってもよい。その場合、押し出し板２１を磁石２５によってフレーム部材１０に固定するために、フレーム部材１０の押し出し板２１が当接する領域に金属からなるプレート等を取り付けておくことが考えられる。
【００４６】
また、本形態においては、フレーム部材１０の奥側の内側面において、ストッカー２０，３０がフレーム部材１０に収容された場合に、ストッカー２０，３０の一部に対向するように検査用ＲＷが取り付けられているが、検査用ＲＷ４０は、ストッカー２０，３０がフレーム部材１０に収容された場合に、ストッカー２０，３０の少なくとも一部に対向するように取り付けられていればよく、ストッカー２０，３０の全面に対向するように取り付けられていてもよい。
【符号の説明】
【００４７】
１    ＲＦ−ＩＤメディア検査装置
２    ＩＣカード
１０    フレーム部材
１１    支持具挿入溝
１２，１３    係合レール
１４    突起
２０，３０    ストッカー
２１    押し出し板
２２，２９，３１    溝
２３    奥板
２３ａ    突出部
２４    奥板支持具
２４ａ    軸
２５    磁石
２６    底板
２７    側板
２８    カード支えバー
４０    検査用ＲＷ
５０    員数計数用カメラ
【図１】
2011128961.tif 000003
【図２】
2011128961.tif 000004
【図３】
2011128961.tif 000005
【図４】
2011128961.tif 000006
【図５】
2011128961.tif 000007
【図６】
2011128961.tif 000008